(57)【要約】【課題】直流系統に設置された直流遮断器が有するサージアブソーバの処理エネルギーを増大させずに故障電流の増加の割合を抑制することのできる限流リアクトル装置を提供する。【解決手段】限流リアクトル装置１は、直流遮断器と直列に接続されるリアクトル２と、リアクトル２と並列に接続されるサージアブソーバ３と、サージアブソーバ３と直列に接続されるスイッチ４とを備える。スイッチ４は、電力系統の故障発生時点から直流遮断器１０の電流遮断時点までに投入される。【選択図】図１
2015033187.tif 000002
【特許請求の範囲】
【請求項１】
直流遮断器と直列に接続されるリアクトルと、
前記リアクトルと並列に接続されるサージアブソーバと、
前記サージアブソーバと直列に接続されるスイッチと、
を備えること、
を特徴とする限流リアクトル装置。
【請求項２】
前記リアクトルは、単相変圧器の前記直流遮断器と直列に接続された一方のコイルであり、
前記サージアブソーバは、前記単相変圧器の他方のコイルと直列に接続されていること、
を特徴とする請求項１記載の限流リアクトル装置。
【請求項３】
前記スイッチは、電力系統の故障発生時点から前記直流遮断器の電流遮断時点までに投入されること、
を特徴とする請求項１又は２記載の限流リアクトル装置。
【発明の詳細な説明】
【技術分野】
【０００１】
本発明の実施形態は、電力系統において直流遮断器と直列に接続される限流リアクトル装置に関する。
【背景技術】
【０００２】
高圧による直流送電は、交流送電に比して送電に伴う電力損失が小さいこと、交流から直流に変換する変換ロスが無いこと、及び線路コストも低減されることから注目を集めており、各所で導入が進んでいる。また、太陽光や風力などの自然エネルギーを利用した電源、マイクロガスタービン、燃料電池等に代表される直流出力の分散電源の普及も直流送電を後押ししている。
【０００３】
この直流送電においては、分散電源の直流出力を直接直流負荷に電力供給できる直流多端子配電システムをベースとし、負荷や分散電源の電圧レベルと直流配電系統の電圧レベルとを変換する変換器や、負荷や分散電源を保護するための直流遮断器の開発が必要となる。
【０００４】
変換器に関し、ＩＧＢＴ等の自己消弧型半導体スイッチング素子を備えてＰＷＭ制御される自励式変換器は、他励式変換器よりも直流送電においてメリットが多く、有望視されている。直流遮断器は、接点間に過電圧による絶縁破壊が引き起こされないように、接点間の電圧を制限するサージアブソーバを接点と並列に接続して備えている（例えば、非特許文献１参照）。
【先行技術文献】
【非特許文献】
【０００５】
【非特許文献１】JUERGEN HAEFNER, BJOERNJACOBSON “Proactive Hybrid HVDC Breakers − A keyinnovation for reliable HVDC grids” CIGRE International Symposium in Bologna,2011
【発明の概要】
【発明が解決しようとする課題】
【０００６】
自励式変換器は定電圧制御される。そのため、直流系統で故障が発生すると、自励式変換器は定格値を維持すべく出力電流を増大させ、結果として故障電流を増大させてしまう。この故障電流は、電源から故障点までの系統のインダクタンスと抵抗によって増加の時定数が決まる。
【０００７】
そこで、非特許文献１では、直流遮断器の定格遮断容量を故障電流が上回らないように、限流リアクトルを直流遮断器と直列に接続し、故障電流の増加を抑制している。この限流リアクトルのインダクタンスは数百ｍＨとされている。
【０００８】
限流リアクトルのインダクタンスが大きければ、確かに故障電流の増加の割合は抑制できる。しかしながら、限流リアクトルのインダクタンスが大きければ、限流リアクトルが蓄積した誘導性エネルギーも直流遮断器のサージアブソーバで処理せねばならなくなり、直流遮断器のサージアブソーバの処理エネルギーが大きくなってしまうという問題が生じる。
【０００９】
本実施形態に係る限流リアクトル装置は、上記のような課題を解決するためになされたものであり、直流系統に設置された直流遮断器が有するサージアブソーバの処理エネルギーを増大させずに故障電流の増加の割合を抑制することのできる限流リアクトル装置を提供することを目的とする。
【課題を解決するための手段】
【００１０】
上記の目的を達成するために、本実施形態の限流リアクトル装置は、直流遮断器と直列に接続されるリアクトルと、前記リアクトルと並列に接続されるサージアブソーバと、前記サージアブソーバと直列に接続されるスイッチと、を備えること、を特徴とする。
【００１１】
前記リアクトルは、単相変圧器の前記直流遮断器と直列に接続された一方のコイルであり、前記サージアブソーバは、前記単相変圧器の他方のコイルと直列に接続されているようにしてもよい。前記スイッチは、電力系統の故障発生時点から前記直流遮断器の電流遮断時点までに投入されるようにしてもよい。
【図面の簡単な説明】
【００１２】
【図１】第１の実施形態に係る限流リアクトル装置と其の接続態様を示す構成図である。
【図２】故障発生から直流遮断器が直流電流を遮断する過程における、直流遮断器及び限流リアクトル装置のスイッチの動作を示す波形図であり、（ａ）は直流遮断器の遮断部電流とサージアブソーバ電流を示し、（ｂ）は直流遮断器極間電圧を示し、（ｃ）は直流遮断器が有するサージアブソーバの処理エネルギーを示し、（ｄ）は限流リアクトル装置が有するサージアブソーバの処理エネルギーを示す。
【図３】第２の実施形態に係る限流リアクトル装置と其の接続態様を示す構成図である。
【発明を実施するための形態】
【００１３】
以下、図１乃至３を参照しつつ、各実施形態の限流リアクトル装置を説明する。尚、限流リアクトル装置とは、主回路に直列接続されたコイルを有する各種装置であり、コイルを主回路に有する変圧器も限流リアクトル装置とすることができる。
【００１４】
（第１の実施形態）
（構成）
図１に示すように、本実施形態に係る限流リアクトル装置１は、直流遮断器１０とともに主回路１００に配置される。直流遮断器１０は、遮断部１１を主回路１００上に備え、遮断部１１と並列にサージアブソーバ１２を接続してなる。限流リアクトル装置１は、限流リアクトル２とサージアブソーバ３とスイッチ４とを備えている。
【００１５】
限流リアクトル２は、直流遮断器１０が接続された主回路１００に挿入され、直流遮断器１０と直列接続されている。サージアブソーバ３は、限流リアクトル２と並列に接続されている。スイッチ４は、限流リアクトル２と並列接続され、サージアブソーバ３と直列接続となっている。
【００１６】
この限流リアクトル２は、直流が送電される主回路１００上に位置して故障電流の増加の割合を抑制し、直流遮断器１０の遮断特性を向上させる。但し、故障電流によって磁場を形成し、誘導性エネルギーを蓄える。
【００１７】
サージアブソーバ３、１２は、アレスタとも呼ばれ、故障電流のエネルギーを吸収する。直流遮断器１０のサージアブソーバ１２は、直流遮断器１０の接点間が制限電圧を超えると稼動して故障電流を転流させ、そのエネルギーを吸収することで、直流遮断器１０の接点間電圧を制限電圧に抑制し、接点の絶縁破壊を防止する。
【００１８】
スイッチ４は、機械式又は半導体スイッチ等を用いることができ、限流リアクトル装置１のサージアブソーバ３に至る回路を開閉し、当該サージアブソーバ３に対する故障電流の流入を制御する。このスイッチ４は、電力系統の故障発生時点から直流遮断器１０による電流遮断時点までに投入される。
【００１９】
例えば、限流リアクトル装置１、直流遮断器１０、又はその他の電力機器には、故障電流を検出する検出部を備えており、この検出部の検出信号をスイッチ４の投入指示信号とする。スイッチ４が半導体スイッチであれば、検出信号をゲートに入力する等すればよい。
【００２０】
（作用）
図２は、このような限流リアクトル装置１による作用を示す。図２の（ａ）の実線で示されるように、故障時点Ｉにおいて電力系統に故障が発生すると、電源から故障点までのインダクタンス及び抵抗によって決まる時定数で直流遮断器１０の遮断部１１を流れる電流が増加する。この電流は、限流リアクトル装置１の限流リアクトル２によって増加が抑制されている。
【００２１】
故障時点Ｉ以後、ある時点ＩＩにおいて、直流遮断器１０は、遮断部１１により電流を遮断する。また、限流リアクトル装置１は、故障時点Ｉ以後、この時点ＩＩ以前にスイッチ４を投入し、限流リアクトル装置１のサージアブソーバ３に電流を転流させておく。
【００２２】
この遮断時点ＩＩにおいては、図２の（ａ）の実線で示されるように、遮断部１１を流れる電流は零となる。そして、図２の（ｂ）に示すように、遮断時点ＩＩからは、遮断部１１の極間に制限電圧が現れる。このとき、スイッチ４は既に投入されているので、図２の（ａ）の点線で示されるように、遮断部１１の経路に代わって、限流リアクトル装置１のサージアブソーバ３を経由して直流遮断器１０のサージアブソーバ１２を通る経路に電流が現れる。
【００２３】
この電流は、図２の（ａ）の点線で示されるように、両サージアブソーバ３、１２に吸収されることで、最終的に零となる。この電流によるエネルギーは、直流遮断器１０のサージアブソーバ１２の処理エネルギーを示す図２の（ｃ）及び限流リアクトル装置１のサージアブソーバ３の処理エネルギーを示す図２の（ｄ）のように、限流リアクトル装置１のサージアブソーバ３と直流遮断器１０のサージアブソーバ１２とが分担して処理する。
【００２４】
すなわち、限流リアクトル２が設置されることで、限流リアクトル２が蓄積する誘導性エネルギー分だけ全体としての処理エネルギーは大きくなるが、限流リアクトル装置１のサージアブソーバ３がそのエネルギーの処理を分担するため、直流遮断器１０のサージアブソーバ１２が処理するエネルギーは小さくなる。
【００２５】
（効果）
以上のように、第１の実施形態に係る限流リアクトル装置１では、直流遮断器１０と直列に接続される限流リアクトル２と、限流リアクトル２と並列に接続されるサージアブソーバ３と、サージアブソーバ３と直列に接続されるスイッチ４とを備えるようにした。
【００２６】
これにより、電力系統の故障によりサージアブソーバ３、１２が処理しなくてはならないエネルギーは、限流リアクトル２の設置により増加することとなるが、そのエネルギーの処理を限流リアクトル装置１のサージアブソーバ３が分担することができるため、直流遮断器１０のサージアブソーバ１２が処理するエネルギーを増加させることなく、換言すると、サージアブソーバ１２を大型化する必要はなく、かつ限流リアクトル２により故障電流の増加の割合を抑制することができる。
【００２７】
（第２の実施形態）
第２の実施形態に係る限流リアクトル装置１は、単相変圧器１ａである。単相変圧器１ａが備える一対のコイル２ａ、５のうち、片方のコイル２ａは、両端子が主回路１００に接続され、限流リアクトル２としても機能する。スイッチ４及びサージアブソーバ３は、他方のコイル５を配置した回路内に設置し、他方のコイル５と直列接続する。
【００２８】
この単相変圧器１ａにおいても、故障時点Ｉ以後、ある時点ＩＩにおいて、直流遮断器１０が電流を遮断し、また故障時点Ｉ以後、この故障時点ＩＩ以前にスイッチ４を投入しておく。そのため、エネルギーは、限流リアクトル装置１のサージアブソーバ３と直流遮断器１０のサージアブソーバ１２とが分担して処理することとなる。
【００２９】
この単相変圧器１ａにおいては、主回路１００とは異なるコイル５が接続された回路にスイッチ４とサージアブソーバ３とを接続しているので、スイッチ４とサージアブソーバ３とを主回路１００とは異なる絶縁レベルとすることが可能となる。
【００３０】
（その他の実施形態）
本明細書においては、本発明に係る各種実施形態を説明したが、これら実施形態は例として提示したものであって、発明の範囲を限定することを意図していない。各実施形態で開示の構成の全て又はいずれかを組み合わせたものも包含される。以上のような各実施形態は、その他の様々な形態で実施されることが可能であり、発明の範囲を逸脱しない範囲で、種々の省略や置き換え、変更を行うことができる。これら実施形態やその変形は、発明の範囲や要旨に含まれると同様に、特許請求の範囲に記載された発明とその均等の範囲に含まれるものである。
【符号の説明】
【００３１】
１  限流リアクトル装置
１ａ  単相変圧器
２  限流リアクトル
２ａ  コイル
３  サージアブソーバ
４  スイッチ
５  コイル
１０  直流遮断器
１１  遮断部
１２  サージアブソーバ
１００  主回路
【図１】
2015033187.tif 000003
【図２】
2015033187.tif 000004
【図３】
2015033187.tif 000005